(57)【要約】【課題】ツアー情報や旅行地情報を検索するユーザにとってより充実した情報が入手できるとともに、情報提供者や旅行代理店にとっても容易にツアー情報や旅行地情報の登録をすることができる旅行計画システムを提供する。【解決手段】ユーザ端末１３からの要求に応じて、ツアー情報ＤＢ２６から該当するツアー情報を抽出する。ユーザ端末１３からの要求に応じて、旅行地情報ＤＢ２７から該当する旅行地情報を抽出する。ユーザ端末１３からのマイページ登録要求に応じて、ユーザコンテンツ情報ＤＢ２５にマイページ登録を行う。ユーザ端末１３からの旅行計画登録要求に応じて、ユーザコンテンツ情報ＤＢ２５に旅行計画登録を行う。代理店端末１５からの登録要求に応じて、ツアー情報ＤＢ２６にツアー情報を登録する。登録者端末１４からの登録要求に応じて、旅行地情報ＤＢ２７に旅行地情報を登録する。【選択図】      図１
2005165686.tif 000002
【特許請求の範囲】
【請求項１】
ユーザ端末、代理店端末及び登録者端末と、ネットワークを介して接続可能な管理コンピュータによる旅行計画システムにおいて、
前記管理コンピュータが、
前記ユーザ端末からのツアー情報検索要求に応じて、ツアー情報記憶部から前記ツアー情報検索要求に該当するツアー情報を抽出するツアー情報抽出手段と、
前記ユーザ端末からの旅行地情報検索要求に応じて、旅行地情報記憶部から前記旅行地情報検索要求に該当する旅行地情報を抽出する旅行地情報抽出手段と、
前記ユーザ端末からのマイページ登録要求に応じて、ユーザコンテンツ情報記憶部にマイページ登録を行うマイページ登録手段と、
前記ユーザ端末からの旅行計画登録要求に応じて、ユーザコンテンツ情報記憶部に旅行計画登録を行う旅行計画登録手段と、
前記代理店端末からの登録要求に応じて、前記ツアー情報記憶部にツアー情報を登録するツアー情報登録手段と、
前記ユーザ端末からの前記ツアー情報に関する見積もり要求に応じて、見積もり情報記憶部に見積もり情報を登録するとともに、該ツアー情報の見積もり回答要求を前記代理店端末に送信する見積もり要求手段と、
前記登録者端末からの登録要求に応じて、前記旅行地情報記憶部に旅行地情報を登録する旅行地情報登録手段と
を備えたことを特徴とする旅行計画システム。
【発明の詳細な説明】
【技術分野】
【０００１】
本発明は、端末を用いて旅行情報の登録・検索、旅行の予約等ができる旅行計画システムに関する。
【背景技術】
【０００２】
従来、インターネットを介して旅行情報を提供する旅行情報サイトが知られている。このような旅行情報サイトでは、旅行情報をユーザが検索できるように提供し、その場で申し込みや支払いのための決済ができるようになっている。
【発明の開示】
【発明が解決しようとする課題】
【０００３】
しかし、上記旅行情報サイトの多くは旅行会社が運営するもので、自社の旅行プランを提供するのみで情報量が限られており、ユーザにとっても不便であった。また、旅行地の情報は、各国や各都道府県の観光局の提供する情報が詳しいが、そのような情報は、それぞれのサイトにて個別に検索するしかなく、情報が分散しているのが現状である。
【０００４】
本発明の目的は、ツアー情報や旅行地情報を検索するユーザにとってより充実した情報が入手できるとともに、情報提供者や旅行代理店にとっても容易にツアー情報や旅行地情報の登録をすることができる旅行計画システムを提供することにある。
【課題を解決するための手段】
【０００５】
上記問題点を解決するために、請求項１に記載の発明は、ユーザ端末、代理店端末及び登録者端末と、ネットワークを介して接続可能な管理コンピュータによる旅行計画システムにおいて、前記管理コンピュータが、前記ユーザ端末からのツアー情報検索要求に応じて、ツアー情報記憶部から前記ツアー情報検索要求に該当するツアー情報を抽出するツアー情報抽出手段と、前記ユーザ端末からの旅行地情報検索要求に応じて、旅行地情報記憶部から前記旅行地情報検索要求に該当する旅行地情報を抽出する旅行地情報抽出手段と、前記ユーザ端末からのマイページ登録要求に応じて、ユーザコンテンツ情報記憶部にマイページ登録を行うマイページ登録手段と、前記ユーザ端末からの旅行計画登録要求に応じて、ユーザコンテンツ情報記憶部に旅行計画登録を行う旅行計画登録手段と、前記代理店端末からの登録要求に応じて、前記ツアー情報記憶部にツアー情報を登録するツアー情報登録手段と、前記ユーザ端末からの前記ツアー情報に関する見積もり要求に応じて、見積もり情報記憶部に見積もり情報を登録するとともに、該ツアー情報の見積もり回答要求を前記代理店端末に送信する見積もり要求手段と、前記登録者端末からの登録要求に応じて、前記旅行地情報記憶部に旅行地情報を登録する旅行地情報登録手段とを備えたことを要旨とする。
【０００６】
（作用）
請求項１に記載の発明によれば、ユーザ端末からのツアー情報検索要求に応じて、ツアー情報記憶部からツアー情報検索要求に該当するツアー情報が抽出される。また、ユーザ端末からの旅行地情報検索要求に応じて、旅行地情報記憶部から旅行地情報検索要求に該当する旅行地情報が抽出される。また、ユーザ端末からのマイページ登録要求に応じて、ユーザコンテンツ情報記憶部にマイページ登録が行われる。また、ユーザ端末からの旅行計画登録要求に応じて、ユーザコンテンツ情報記憶部に旅行計画登録が行われる。また、代理店端末からの登録要求に応じて、ツアー情報記憶部にツアー情報が登録される。また、ユーザ端末からのツアー情報に関する見積もり要求に応じて、見積もり情報記憶部に見積もり情報を登録するとともに、該ツアー情報の見積もり回答要求を代理店端末に送信さ
れる。また、登録者端末からの登録要求に応じて、旅行地情報記憶部に旅行地情報が登録される。従って、本発明によれば、旅行に必要な情報が集中した旅行計画システムが得られる。
【発明の効果】
【０００７】
本発明によれば、ツアー情報や旅行地情報を検索するユーザにとってより充実した情報が入手できるとともに、情報提供者や旅行代理店にとっても容易にツアー情報や旅行地情報の登録をすることができる。
【発明を実施するための最良の形態】
【０００８】
以下、本発明を具体化した旅行計画システムの一実施形態を図１〜図３０に従って説明する。なお、本発明において、ツアー情報とは、具体的な旅行の日程や目的地等を含む情報のこととし、また、旅行地情報とは、旅行地における観光情報、イベント情報、アクセス情報や地理情報等を含む情報のこととする。
【０００９】
管理サーバ１１は、図１に示すように、管理コンピュータ１２を備えている。この管理コンピュータ１２は、図示しないＣＰＵ、ＲＡＭ、ＲＯＭ及びネットワークとしてのインターネットＩの接続手段等から構成されており、各種情報の送受信及び各記憶部に格納されるデータの読出し・書込み、並びに各種プログラムの実行やデータ処理を行う。
【００１０】
この管理コンピュータ１２は、ユーザ端末１３、登録者端末１４、代理店端末１５、サイト管理者端末１６とインターネットＩを介して各種データの送受信が可能となっている。本実施形態では説明の便宜上各端末を一つのみ表示しているが、実際にはそれぞれにつき複数の端末が接続可能となっている。なお、管理コンピュータ１２は、ツアー情報抽出手段、旅行地情報抽出手段、マイページ登録手段、旅行計画登録手段、ツアー情報登録手段、見積もり要求手段及び旅行地情報登録手段等を構成する。ユーザ端末１３、登録者端末１４、代理店端末１５及びサイト管理者端末１６は、図示しないＣＰＵ、ＲＡＭ及びＲＯＭ、インターネットＩと接続するための接続手段、ディスプレイ、キーボード、マウス又はボタンから構成される操作部等の入力装置を備えている。そして、ＲＯＭには、インターネットＩを介して取得したデータをディスプレイに出力するためのブラウザプログラムが備えられている。ユーザ端末１３は、旅行情報の検索や旅行の予約等を行うユーザが使用する端末である。登録者端末１４は、例えば各国の政府観光局、各都道府県の観光局等の旅行地情報を登録する者が使用する端末である。代理店端末１５は、ツアー情報を登録する旅行代理店が使用する端末である。サイト管理者端末１６は、管理サーバ１１の登録及び管理を行うサイト管理者が使用する端末である。
【００１１】
管理コンピュータ１２は、各種データベース（以下、「ＤＢ」という。）を備えており、ユーザＤＢ２１、サイト管理者ＤＢ２２、登録者ＤＢ２３、代理店情報ＤＢ２４、ユーザコンテンツ情報ＤＢ２５、ツアー情報ＤＢ２６、旅行地情報ＤＢ２７、申し込み情報ＤＢ２８及び見積もり情報ＤＢ２９を備えている。
【００１２】
次に、図２〜図１０により、管理コンピュータ１２の各種ＤＢのデータ構造について説明する。
図２に示すように、ユーザＤＢ２１は、ユーザＩＤ、ユーザパスワード及び各種ユーザ詳細情報等をユーザ毎に記憶するものである。ユーザ詳細情報としては、氏名、郵便番号、住所、電話番号、ＦＡＸ番号、電子メールアドレスが含まれる。
【００１３】
図３に示すように、サイト管理者ＤＢ２２は、サイト管理者ＩＤ及びサイト管理者パスワードをサイト管理者毎に記憶するものである。
図４に示すように、登録者ＤＢ２３は、登録者ＩＤ、登録者パスワード、登録者詳細情
報及び登録可能国を登録者毎に記憶するものである。
【００１４】
図５に示すように、代理店情報ＤＢ２４は、代理店ＩＤ、代理店パスワード、代理店詳細情報、ツアー登録可否及び見積もり可否を代理店毎に記憶するものである。
図６に示すように、ユーザコンテンツ情報ＤＢ２５は、ユーザＩＤ、ブックマーク情報及びプラン情報をユーザ毎に記憶するものである。ブックマーク情報は、ユーザのお気に入り情報をブックマークとして登録し、後に利用することを目的とするものである。プラン情報は、ユーザ自身が立てた旅行プランを登録するものである。
【００１５】
図７に示すように、ツアー情報ＤＢ２６は、ツアー番号、ツアー基本情報、ツアー詳細情報及び検索用キーワードをツアー毎に記憶するものである。ツアー基本情報には、ツアータイトル、地域、目的、時期等の情報が含まれる。
【００１６】
図８に示すように、旅行地情報ＤＢ２７は、サムネール画像、サムネール情報、旅行地詳細情報及び検索用キーワードを旅行地毎に記憶するものである。サムネール情報とは、ツアー情報の要約を所定文字数内（例えば１００字以内）で表現したものである。
【００１７】
図９に示すように、申し込み情報ＤＢ２８は、申込者ＩＤ、申込者氏名、申込日及びツアー番号を申し込み毎に記憶するものである。
図１０に示すように、見積もり情報ＤＢ２９は、ツアー番号、代理店ＩＤ、見積金額及びコメントを見積もり毎に記憶するものである。
【００１８】
（ユーザ端末）
次に、旅行情報の検索、ブックマーク登録、プラン登録及び見積もり請求等、ユーザ端末１３により行われる各種手順を図１１〜図１５に従って説明する。
【００１９】
図１１は、ユーザ端末１３に表示される、旅検索画面３１を示している。旅検索画面３１は、図示しないユーザ用ログイン画面によりユーザＩＤ及びユーザパスワードが入力された後、ユーザＤＢ２１にて認証が行われ、認証がされた場合に表示される画面である。旅検索画面３１は、メニュー画面３２、検索情報入力部３３、地図検索部３４及び目的検索部３５が設けられている。メニュー画面３２には、ユーザ歓迎部、ログアウトボタン、マイデザインノートボタン、マイオーダーボタン、登録情報変更／削除ボタン及び各種情報ボタンが表示され、ユーザがログアウトするまでこの表示内容が保持される。検索情報入力部３３には、国名指定部、地域名指定部、地区名指定部、キーワード選択部、フリーワード入力部、時期指定部及び検索ボタン３６が設けられている。ユーザは、これらの情報の一部又は全部を入力し、検索ボタン３６を押すことにより、管理サーバ１１に対して検索要求をすることができる。地図検索部３４には、世界地図が表示され、北米、中南米、オセアニア、アジア、ヨーロッパ、アフリカの各地域に分かれて表示されている。ユーザは検索を希望する地域を押すことにより、管理サーバ１１に対してその地域に対する検索要求をすることができる。目的検索部３５には、旅行の目的に関するキーワード（食べる、癒す、学ぶ、観る等）が複数表示されている。ユーザは検索を希望する項目を押すことにより、管理サーバ１１に対してその目的をキーワードとした検索要求をすることができる。
【００２０】
ここで、検索情報入力部３３に、国名「ヨーロッパ」、地域名「オーストリア」、地区名「ウィーン」、キーワード「音楽」及び時期「２００３年８月１日〜２００３年８月３１日」が指定され、検索ボタン３６が押されたとする。すると、旅検索画面３１は、図１２に示す状態に遷移し、検索条件表示部３８及び検索結果表示部３９が表示される。検索条件表示部３８は、ユーザが入力した検索条件が表示される。検索結果表示部３９では、ユーザが指定した検索条件に対応する旅行地情報の概略が表示される。各旅行地情報の概
略では、サムネール画像４０、サムネール情報４１、詳細情報表示ボタン４２、ツアー情報表示ボタン４３、ブックマーク追加ボタン４４が表示される。サムネール画像４０、サムネール情報４１は旅行地情報ＤＢ２７に記憶された情報から抽出されたものである。詳細情報表示ボタン４２を押すと、旅検索画面３１には、旅行地情報ＤＢ２７に記憶された旅行地詳細情報が表示される。また、ツアー情報表示ボタン４３を押すと、旅検索画面３１には、ツアー情報ＤＢ２６に記憶されたツアー詳細情報（複数該当する場合は複数）が表示される。ブックマーク追加ボタン４４を押すと、その旅行地情報がユーザコンテンツ情報ＤＢ２５のブックマーク情報に追加される。
【００２１】
次に、ブックマーク機能及びプラン機能について説明する。メニュー画面３２のマイデザインノートボタンが押されると、ユーザコンテンツ情報ＤＢ２５から、ブックマーク情報及びプラン情報が抽出され、旅検索画面３１は図１３に示す状態に遷移する。ブックマーク表示部４７では、ユーザが既にブックマーク登録を行ったツアー情報の概略表示が複数なされている。ここで、プランコピー指定部４８は、このツアー情報をコピーするプラン番号（プラン１、プラン２等）を選択できるようになっている。プラン番号を選択した状態で実行ボタン４９を押すとコピーが実行される。削除ボタン５０は、ツアー情報をブックマークから削除するものである。なお、新規プランタブ５１を押すと、新規プランを登録することができる。即ち、新規プランタブ５１を押すと、プラン名や期間の選択をするための画面（図示せず）が表示され、これにより新たなプラン情報が生成され、ユーザコンテンツ情報ＤＢ２５に記憶される。
【００２２】
次に、プラン１を示すプランタブ５２が押されると、旅検索画面３１は図１４に示す状態に遷移する。プランタブ５２には、期間表示部５４、コピーされたブックマーク情報表示部５５、１日目のプラン表示部５６及び２日目のプラン表示部５７が表示される。期間がそれ以上ある場合は、３日目以降のプラン表示部が表示される。これらの表示部は、日程指定部５８及び移動ボタン５９により互いに移動することができる。なお、指定時間外表示６０は、その旅行地情報が期間表示部５４に表示された時間外の情報であることを示している。また、削除ボタン６１が押されると、そのツアー情報がプラン１からは削除されるが、ブックマークからの削除はなされない。また、矢印ボタン６２により、プランの順番を入れることが可能となっている。さらに、見積もり要求ボタン６３は、プラン表示部５６，５７に表示されたプランで見積もり要求を実行するためのボタンである。
【００２３】
次に、見積もり要求ボタン６３が押されると、旅検索画面３１は図１５に示す状態に遷移する。図１５には、プラン基本情報入力ページ６６が表示される。プラン基本情報入力ページ６６には、１日目のツアー名称６７、２日目のツアー名称６８、プラン基本情報入力部６９が表示される。プラン基本情報入力部６９には、時期、航空券の往路・復路のそれぞれについての出発地、到着地、航空会社、クラス、並びに宿泊ランク、予算、予定人数、その他コメントの入力項目が設けられている。これらの入力項目を埋めて確認ボタン７０を押すと図示しない確認画面が表示される。そして、確認画面上の送信ボタンが押されると、代理店端末に対して見積もりメールが送信される。ただし、この見積もりメールには、代理店とユーザが直接コンタクトを取らないようにするため、ユーザ情報が含まれないようになっている。そして、各代理店から返信された見積もりは、ユーザが参照し、これに対してツアーの申し込み等が可能になっている。
【００２４】
（代理店端末）
次に、ツアー情報登録、ツアー申込受付及び見積もり条件の変更等、代理店端末１５により行われる各種手順を図１６〜図２５に従って説明する。
【００２５】
図１６は、代理店端末１５に表示される、代理店登録画面８１を示している。代理店登録画面８１は、図示しない代理店用ログイン画面により代理店ＩＤ及び代理店パスワード
が入力された後、代理店情報ＤＢ２４にて認証が行われ、認証がされた場合に表示される画面である。代理店登録画面８１には、メニュー画面８２、ツアー情報登録ボタン８３、ツアー申し込み受付一覧ボタン８４、見積もり申し込み受付条件の設定ボタン８５及び見積もり申し込み受付一覧ボタン８６が設けられている。なお、ツアー情報の登録は、許可された代理店のみが利用できるメニューとなっている。メニュー画面８２には、代理店歓迎部、ログアウトボタン、ツアー情報ボタン（情報登録、申し込み受付一覧、申し込み履歴）、見積もり情報ボタン（条件設定、申し込み受付一覧、申し込み履歴）及び登録情報変更／削除ボタンが表示され、代理店がログアウトするまでこの表示内容が保持される。
【００２６】
ツアー情報登録ボタン８３が押されると、代理店登録画面８１は図１７に示す状態に遷移し、パーツ検索情報入力部８８が表示される。パーツ検索情報入力部８８には、国名指定部、地域名指定部、地区名指定部、時期指定部及び検索ボタン８９が設けられている。代理店は、これらの情報の一部又は全部を指定し、検索ボタン８９を押すことにより、管理サーバ１１に対して検索要求をすることができる。
【００２７】
検索ボタン８９が押されると、代理店登録画面８１は図１８に示す状態に遷移し、検索条件表示部９１及び検索結果表示部９２が表示される。検索条件表示部９１は、代理店が入力した検索条件が表示される。検索結果表示部９２では、代理店が指定した検索条件に対応するツアー情報の概略が表示される。各ツアー情報の概略では、サムネール画像４０、サムネール情報４１、詳細情報表示ボタン４２、ツアー情報登録ボタン９５が表示される。
【００２８】
ツアー情報登録ボタン９５が押されると、代理店登録画面８１は図１９に示す状態に遷移し、ツアー基本情報入力ページ９６が表示される。ツアー基本情報には、ツアー番号、タイトル、価格帯、出発地、航空会社、宿泊場所、サムネール画像、日程、備考、申込受付期間及び情報削除日が含まれる。これらのツアー基本情報が入力され、日程入力ボタン９７が押されると、代理店登録画面８１は図２０に示す状態に遷移し、ツアー詳細情報入力ページ９８が表示される。ツアー詳細情報入力ページ９８では、代理店がツアーの日程の詳細を一日毎に入力することができる。そして、確認ボタン９９が押されると、図示しない確認画面が表示され、さらに登録ボタンが押されると、ツアー情報がツアー情報ＤＢ２６に登録される。
【００２９】
次に、代理店端末１５におけるツアー申込受付の手順について説明する。
代理店登録画面８１のメニュー画面８２のツアー情報申込受付一覧のボタン、又は図１６に示すツアー申し込み受付一覧ボタン８４が押されると、図２１に示すような、ツアー申込者一覧１０１が表示される。ここでは、代理店が既に処理した、処理済みの案件について、ユーザＩＤ、氏名、地域名、処理日が表示されている。未処理の案件については、同様な表示及び処理実行ボタン（図示せず）が表示される。
【００３０】
図２２は、ツアー申込者一覧１０１から未処理案件が選択されたときに表示されるツアー申込受付詳細表示部１０２である。ツアー申込受付詳細表示部１０２には、申し込み情報ＤＢ２８から抽出されたユーザＩＤ、氏名、申込日、ツアー番号、タイトル、地域、出発予定日、出発地、人数、連絡先電話番号、メール及びコメントが表示される。この申込内容に対しては、返信ボタン１０３を押すことにより、申込者に対して返信メールを送信できるようになっている。
【００３１】
次に、代理店端末１５における見積もり条件の変更の手順について説明する。
代理店登録画面８１のメニュー画面８２の見積もり情報条件設定のボタン、又は図１６に示す見積もり申し込み受付条件の設定ボタン８５が押されると、図２３に示すように、見積もり申し込み受付条件設定入力ページ１０５が表示される。ここでは、代理店が見積
もり申し込みを受け付ける国を選択可能に表示している。ここで、内容を変更し、確認ボタン１０６を押すと、更新された情報が代理店情報ＤＢ２４に登録される。
【００３２】
次に、代理店端末１５における見積もり送信の手順について説明する。
代理店登録画面８１のメニュー画面８２の見積もり情報申し込み受付一覧のボタン、又は図１６に示す見積もり申し込み受付一覧ボタン８６が押されると、図２４に示すように、見積もり申し込み受付一覧１０８が表示される。ここでは、代理店に対して見積もり申し込みのあった案件について、氏名、地域名、要求日が表示されている。ここで、詳細情報ボタン１０９を押すと、図２５に示す状態に遷移し、代理店登録画面８１には、プラン基本情報１１０が表示される。プラン基本情報１１０には、１日目のツアー名称１１１、２日目のツアー名称１１２、プラン基本情報表示部１１３が表示される。プラン基本情報表示部１１３には、時期、航空券の往路・復路のそれぞれについての出発地、到着地、航空会社、クラス、並びに宿泊ランク、予算、予定人数、その他コメントの入力項目が設けられている。この内容に対して見積もりを出す場合は、見積もりボタン１１４を押すと、図示しない見積もり入力画面が表示され、代理店は見積金額を入力し送信すると、見積もり依頼をしたユーザはこの見積もりを受け取ることができる。
【００３３】
（サイト管理者端末）
次に、代理店の登録管理及び登録者の登録管理等、サイト管理者端末１６により行われる各種手順を図２６〜図２８に従って説明する。
【００３４】
図２６は、サイト管理者端末１６に表示される代理店登録入力画面１２１である。代理店登録入力画面１２１は、図示しないサイト管理者用ログイン画面によりサイト管理者ＩＤ及びサイト管理者パスワードが入力された後、サイト管理者ＤＢ２２にて認証が行われ、認証がされた場合に表示される画面である。代理店登録入力画面１２１には、メニュー画面１２２、代理店検索部１２３、代理店基本情報入力部１２４が表示される。メニュー画面１２２に示されるように、サイト管理者は、ユーザ管理、代理店管理及び情報登録者管理の権限を有している。代理店基本情報入力部１２４には、代理店ＩＤ及び代理店パスワード（共に自動生成される。）、会社名、ふりがな、郵便番号、住所、電話番号、ファクス、電子メールアドレス、担当者名の入力欄が設けられている。また、登録種別選択部１２５では、登録する代理店に対して、ツアー登録及び見積もりの権限を与えるか否かを選択することができる。そして、確認ボタン１２６により確認画面が表示され、更に登録ボタンが押されることにより、代理店の情報は代理店情報ＤＢ２４に登録される。
【００３５】
図２７は、メニュー画面１２２の情報登録者管理新規登録のボタンが押されたときに表示される画面で、登録者検索部１３１及び登録者基本情報入力部１３２が表示される。登録者基本情報入力部１３２には、登録者ＩＤ及び登録者パスワード（共に自動生成される。）、氏名、ふりがな、年齢、郵便番号、住所、電話番号、ファクス、電子メールアドレスの入力欄が設けられている。そして、登録可能国選択ボタン１３３を押すことにより、図２８に示す、登録可能国選択ページ１３４が表示される。ここでは、登録者が登録可能な国を選択可能に表示している。ここで、内容を変更し、確認ボタン１３５を押すと、更新された情報が登録者ＤＢ２３に登録される。
【００３６】
（登録者端末）
次に、旅行地情報の登録等、登録者端末１４により行われる各種手順を図２９及び図３０に従って説明する。
【００３７】
図２９は、登録者端末１４に表示される登録者登録入力画面１４１である。登録者登録入力画面１４１は、図示しない登録者用ログイン画面により登録者ＩＤ及び登録者パスワードが入力された後、登録者ＤＢ２３にて認証が行われ、認証がされた場合に表示される
画面である。登録者登録入力画面１４１には、メニュー画面１４２、登録者基本情報入力部１４３が表示される。登録者基本情報入力部１４３には、タイトル、地域、目的（食、アート、学習、芸術、等）、時期（通年又は期間限定）、期間限定の際の日付範囲指定部及び画像数指定の旅行地情報が入力可能になっている。そして、サムネール登録ボタン１４４を押すと、登録者登録入力画面１４１は、図３０に示すように遷移する。図３０では、基本情報表示部１５１及びサムネール情報入力部１５２が表示される。サムネール情報入力部１５２には、サムネール画像４０、タイトル及びそのコメント入力部、モデルコース入力部、旅の見所入力部、検索用キーワード登録部が設けられている。なお、検索用キーワード登録部に登録されたキーワードにより、ユーザによる旅行情報の検索が可能となる。そして、次へボタン１５３を押すと、図示しない詳細情報入力画面、登録情報確認画面、登録画面と遷移し、旅行地情報の登録が終了する。
【００３８】
なお、旅行地情報は情報の新鮮度が要求される内容のものなので、常に更新期限が付随している。従って、登録者端末１４では、更新期限間近の旅行地情報に対しては、登録者端末１４に更新手続画面（図示せず）を表示し、更新するか否かの選択を認めている。
【００３９】
上記実施形態の旅行計画システムによれば、以下のような効果を得ることができる。
（１）上記実施形態では、ユーザ端末１３からのツアー情報検索要求に応じて、ツアー情報ＤＢ２６からツアー情報検索要求に該当するツアー情報が抽出される。また、ユーザ端末１３からの旅行地情報検索要求に応じて、旅行地情報ＤＢ２７から旅行地情報検索要求に該当する旅行地情報が抽出される。また、ユーザ端末１３からのマイページ登録要求に応じて、ユーザコンテンツ情報ＤＢ２５にマイページ登録が行われる。また、ユーザ端末１３からの旅行計画登録要求に応じて、ユーザコンテンツ情報ＤＢ２５に旅行計画登録が行われる。また、代理店端末１５からの登録要求に応じて、ツアー情報ＤＢ２６にツアー情報が登録される。また、ユーザ端末１３からのツアー情報に関する見積もり要求に応じて、見積もり情報ＤＢ２９に見積もり情報を登録するとともに、該ツアー情報の見積もり回答要求を代理店端末１５に送信される。また、登録者端末１４からの登録要求に応じて、旅行地情報ＤＢ２７に旅行地情報が登録される。従って、本発明によれば、旅行に必要な情報が集中した旅行計画システムが得られる。
【図面の簡単な説明】
【００４０】
【図１】本発明の実施形態のシステム概略図。
【図２】ユーザＤＢに記憶されたデータの説明図。
【図３】サイト管理者ＤＢに記憶されたデータの説明図。
【図４】登録者ＤＢに記憶されたデータの説明図。
【図５】代理店情報ＤＢに記憶されたデータの説明図。
【図６】ユーザコンテンツ情報ＤＢに記憶されたデータの説明図。
【図７】ツアー情報ＤＢに記憶されたデータの説明図。
【図８】旅行地情報ＤＢに記憶されたデータの説明図。
【図９】申し込み情報ＤＢに記憶されたデータの説明図。
【図１０】見積もり情報ＤＢに記憶されたデータの説明図。
【図１１】ユーザ端末に出力された画面の説明図。
【図１２】同画面の説明図。
【図１３】同画面の説明図。
【図１４】同画面の説明図。
【図１５】同画面の説明図。
【図１６】代理店端末に出力された画面の説明図。
【図１７】同画面の説明図。
【図１８】同画面の説明図。
【図１９】同画面の説明図。
【図２０】同画面の説明図。
【図２１】同画面の説明図。
【図２２】同画面の説明図。
【図２３】同画面の説明図。
【図２４】同画面の説明図。
【図２５】同画面の説明図。
【図２６】サイト管理者端末に出力された画面の説明図。
【図２７】同画面の説明図。
【図２８】同画面の説明図。
【図２９】登録者端末に出力された画面の説明図。
【図３０】同画面の説明図。
【符号の説明】
【００４１】
１２…管理コンピュータ、１３…ユーザ端末、１４…登録者端末、１５…代理店端末、２１…ユーザＤＢ、２２…サイト管理者ＤＢ、２３…登録者ＤＢ、２４…代理店情報ＤＢ、２５…ユーザコンテンツ情報記憶部としてのユーザコンテンツ情報ＤＢ、２６…ツアー情報記憶部としてのツアー情報ＤＢ、２７…旅行地情報記憶部としての旅行地情報ＤＢ、２９…見積もり情報記憶部としての見積もり情報ＤＢ２１、Ｉ…ネットワークとしてのインターネット。
【図１】
2005165686.tif 000003
【図２】
2005165686.tif 000004
【図３】
2005165686.tif 000005
【図４】
2005165686.tif 000006
【図５】
2005165686.tif 000007
【図６】
2005165686.tif 000008
【図７】
2005165686.tif 000009
【図８】
2005165686.tif 000010
【図９】
2005165686.tif 000011
【図１０】
2005165686.tif 000012
【図１１】
2005165686.tif 000013
【図１２】
2005165686.tif 000014
【図１３】
2005165686.tif 000015
【図１４】
2005165686.tif 000016
【図１５】
2005165686.tif 000017
【図１６】
2005165686.tif 000018
【図１７】
2005165686.tif 000019
【図１８】
2005165686.tif 000020
【図１９】
2005165686.tif 000021
【図２０】
2005165686.tif 000022
【図２１】
2005165686.tif 000023
【図２２】
2005165686.tif 000024
【図２３】
2005165686.tif 000025
【図２４】
2005165686.tif 000026
【図２５】
2005165686.tif 000027
【図２６】
2005165686.tif 000028
【図２７】
2005165686.tif 000029
【図２８】
2005165686.tif 000030
【図２９】
2005165686.tif 000031
【図３０】
2005165686.tif 000032